【手続補正書】
【提出日】平成15年12月25日(2003.12.25)
【手続補正１】
【補正対象書類名】明細書
【補正対象項目名】請求項４
【補正方法】変更
【補正の内容】
【請求項４】
二酸化チタン又は酸化亜鉛を５０％以上含有する粉体が、ドープ型粉体であることを特徴とする、請求項２又は３に記載の化粧料。
【手続補正２】
【補正対象書類名】明細書
【補正対象項目名】０００６
【補正方法】変更
【補正の内容】
【０００６】
【発明の実施の形態】
（１）本発明の化粧料の必須成分である隠蔽性粉体
本発明の化粧料は、隠蔽性粉体から選ばれる１種乃至は２種以上を必須成分として含有することを特徴とする。ここで、本発明で言う隠蔽性粉体とは、可視光線を少なくとも３０％以上吸収する粉体であって、例えば、二酸化チタン、酸化亜鉛、酸化鉄、酸化ジルコニウム、酸化クロム、水酸化クロム、チタン酸コバルト及びこれらと無水珪酸やアルミナ等の任意成分との複合酸化物等が具体的に例示できる。これらの中で特に好ましいのは、二酸化チタン又は酸化亜鉛を５０％以上含有する粉体、即ち、二酸化チタン、酸化亜鉛或いは鉄ドープ二酸化チタン、ジルコニウムドープ二酸化チタン、鉄ドープ酸化亜鉛、ジルコニウムドープ酸化亜鉛等の二酸化チタンや酸化亜鉛のドープ体である。この様な粉体を少なくとも１種隠蔽性粉体として含有するのが好ましい形態である。本発明の化粧料に於いては、隠蔽性粉体としてこの様な二酸化チタンや酸化亜鉛のドープ型の粉体を用いることが特に好ましい。この様なドープ型粉体は、二酸化チタンや酸化亜鉛を任意成分の酸化物とともに１０００℃程度で燒結することによって得ることが出来るが、この様な粉体には多くの市販品があり、この様な市販品を利用することも可能である。この様な市販品としては、例えば、石原産業株式会社製のタイペークＴＴＯ−Ｆ−１、ＴＴＯ−Ｆ−２、ＴＴＯ−Ｆ−６等が好ましく例示できる。これらの隠蔽性粉体は、そのまま使用することもできるし、シリコーン処理、パーフルオロアルキル処理、金属石鹸処理、アミノ酸塩処理、シリル化処理、燐酸塩処理、シリカゲルやアルミナによるコーティング処理等の処理を行って使用することも可能であり、この様な場合も、本発明の技術的範囲に属する。本発明の化粧料に於ける、これら隠蔽性粉体の好ましい含有量は、化粧料の剤形によっても異なるが、基礎化粧料であれば１〜２０重量％であり、更に好ましくは２〜５重量％である。乳化剤形のメークアップ化粧料であれば、１〜２０重量％であり、更に好ましくは２〜１０重量％である。又、非乳化型のメークアップ化粧料であれば、１〜５０重量％であり、更に好ましくは３〜３０重量％である。これは少なすぎると、隠蔽性粉体の効果を発揮できない場合があり、多すぎると、効果が頭打ちになるばかりでなく、系の安定性を損なう場合や色彩などの品質に欠陥を生じたりする場合があるからである。


【手続補正３】
【補正対象書類名】明細書
【補正対象項目名】０００７
【補正方法】変更
【補正の内容】
【０００７】
（２）本発明の化粧料の必須成分である美白剤
本発明の化粧料では、美白剤から選ばれる１種乃至は２種以上を必須成分として含有する。ここで言う美白剤とは、メラノサイトによって産生されるメラニンの産生量を抑制するものを意味し、その産生抑制のメカニズムとしては、例えば、チロシナーゼ阻害作用、メラノサイト刺激ホルモン阻害作用、チロシナーゼ類似蛋白（ＴＲＰ）阻害作用、ピンクアイダイリュート遺伝子の発現阻害作用等の種々のメカニズムが存在するが、そのメカニズムについては特に限定されない。この様な美白剤としては、例えば、アスコルビン酸及びその誘導体、ハイドロキノンの配糖体及びその誘導体、フェノール性水酸基を有する炭素数６〜１２の芳香族化合物、トラネキサム酸及びその誘導体等が好ましく例示できる。ここで、アスコルビン酸の誘導体としては、例えば、水酸基をアシル基で修飾したアシル化体、グルコースやマルトース等で配糖体化した配糖体、ベンジル基等の炭化水素基とのエーテル体、燐酸や硫酸などとのエステル体及び生理的に許容されるこれらの塩等が好ましく例示できる。生理的に許容できる塩としては、ナトリウムやカリウムなどのアルカリ金属塩、カルシウムやマグネシウム等のアルカリ金属塩、アンモニウム塩、トリエチルアミンやトリエタノールアミン等の有機アミン塩、アルギニンやリジン等の塩基性アミノ酸塩等が好ましく例示できる。以後、生理的に許容される塩とはこの様なものを意味する。ハイドロキノンの配糖体としてもアスコルビン酸の配糖体同様にグルコシドやマルトシドが例示でき、この誘導体としてはアシル化体、アルキルエーテル、燐酸エステルや硫酸エステル及びこれらの生理的に許容される塩が例示できる。フェノール性水酸基を有する炭素数６〜１２の芳香族化合物としては、カフェ酸、シリング酸、コウジ酸、フェルラ酸、イソフェルラ酸、レゾルシノール及びこれらのアルデヒド体、アルキル化物、生理的に許容される塩等が例示できる。トラネキサム酸の誘導体としては、アルキルエステル、アルキルアミド及びこれらの生理的に許容できる塩等が例示できる。これら上記に於けるアルキル基とは、炭素数１〜４の直鎖乃至は分岐のものを意味する。アシル基としては、アルキルカルボニル基のみならず、水酸基、アセトキシ基、アルコキシ基、ハロゲン原子等の置換基を有していても良いベンゾイル基等の芳香族アシル基も含む。これら美白剤の好ましい含有量は、総量で０．０１〜１０重量部であり、更に好ましくは、０．０５〜５重量％である。


【手続補正４】
【補正対象書類名】明細書
【補正対象項目名】００１９
【補正方法】変更
【補正の内容】
【００１９】
＜実施例１１＞
以下に示す処方に従って、本発明の化粧料である、パウダーファンデーションを作成した。即ち、処方成分イをヘンシェルミキサーで混合し、０．９ｍｍ丸穴スクリーンを装着したパルベライザーで粉砕し、ヘンシェルミキサーで混合しながら処方成分ロを滴下コーティングし、１ｍｍヘリングボーンスクリーンを装着したパルベライザーで仕上げ粉砕し、金皿に充填し加圧成形してパウダーファンデーションを得た。このものの粉体を全てシリコーン処理タルクに置換した対照例８を作成し、実施例１〜４と同様に美白効果を比較したところ、＋＋の評価であった。隠蔽性粉体の表面を処理しても本発明の効果に差し障りのないことが明らかである。
イ
シリコーン処理微粒子二酸化チタン                      １０    重量部
ステアリン酸亜鉛処理微粒子二酸化チタン                  ５    重量部
パーフルオロ処理タイペークＴＴＯ−Ｆ−１              １０    重量部
シリコーン処理１０％酸化鉄焼き付け酸化亜鉛            １０    重量部
シリコーン処理黄色酸化鉄                                ５    重量部
シリコーン処理ベンガラ                                  １    重量部
シリコーン処理虹彩箔                                    ３    重量部
シリコーン処理チタンマイカ                              １    重量部
シリコーン処理セリサイト                              ２０    重量部
シリコーン処理マイカ                                  １４    重量部
アルブチン                                              １    重量部
ロ
オレイン酸オクチルドデシル                            １０    重量部
ジメチコン                                              ５    重量部
環状シリコーン                                          ４    重量部
シリコーンエラストマー                                  １    重量部